(57)【要約】  【課題】  仕掛けが絡むことなく巻き付け及び取り外しをスムーズに行うことができ、また、それらの際に仕掛けを傷付けることのない釣り用仕掛け巻きを提供する。  【解決手段】  幹糸を巻き付けるためのリール部３２と釣針を掛ける掛止部材３４の間に仕切部材３３を設ける。仕切部材３３には、幹糸から分岐してその先端に釣針を有する枝糸を通すための隙間４２を設ける。幹糸をリール部３２に巻き付け、枝糸を隙間４２に通して釣針を掛止部材３４に掛ける。この仕掛け巻きでは、仕掛けを巻き付け及び取り外す際に仕切部材３３が存在しているため、釣針が幹糸と接触して傷付けることや、枝糸が幹糸に絡まることを防ぐことができる。【選択図】  図３
2005185118.tif 000002
【特許請求の範囲】
【請求項１】
先端に釣針を有する枝糸を幹糸に取り付けた釣り用仕掛けを巻き付ける釣り用仕掛け巻きであって、
a)幹糸を巻き付ける筒状のリール部と、
b)前記リール部の一端に固定された、枝糸を通す枝糸通過部を複数有する仕切部材と、
c)前記仕切部材から前記リール部の反対側に、該仕切部材との間に隙間を空けて設けられた、釣針を掛止するための釣針掛止部を複数有する板状の掛止部材と、
を備えることを特徴とする釣り用仕掛け巻き。
【請求項２】
前記釣針掛止部が、掛止部材の外周に設けた切れ込みであることを特徴とする請求項１に記載の釣り用仕掛け巻き。
【請求項３】
前記切れ込みが、掛止部材の外周から、斜め中心方向に向けて設けられていることを特徴とする請求項２に記載の釣り用仕掛け巻き。
【請求項４】
前記仕切部材が板状の部材であり、前記枝糸通過部が、仕切部材の外周に設けた切れ込みであることを特徴とする請求項１〜３のいずれかに記載の釣り用仕掛け巻き。
【請求項５】
前記掛止部材及び仕切部材を取り外し可能としたことを特徴とする請求項１〜４のいずれかに記載の釣り用仕掛け巻き。
【請求項６】
仕切部材とは反対側のリール部端部に設けたフランジに、巻き付けられた幹糸の終端を掛止する幹糸掛止部を設けたことを特徴とする請求項１〜５のいずれかに記載の釣り用仕掛け巻き。
【発明の詳細な説明】
【技術分野】
【０００１】
本発明は、釣り用仕掛けを保管するための釣り用仕掛け巻きに関する。
【背景技術】
【０００２】
釣りにおいては、釣りの対象となる魚の種類により様々な釣り用仕掛けが用いられる。例えばキス釣りでは、図１に示すような、１本の幹糸１１に複数本の枝糸１２を取り付け、各枝糸１２の先端に釣針１３を取り付けた数釣り用の仕掛けが用いられる。
【０００３】
このような釣り用仕掛けは、使用者自らが幹糸に枝糸を取り付けて作製するが、手間と時間を要するため、通常は予め自宅等で作製される。そして使用者はこの仕掛けを持ち運び、釣りの現場において釣り竿に取り付ける。しかし、持ち運ぶ間に仕掛けの幹糸や枝糸が絡まると、その絡みを解くために時間と労力を要するだけでなく、場合によってはせっかく作製した仕掛けが使用できなくなることもある。
【０００４】
そこで、多くの場合、作製された仕掛けは仕掛け巻きと呼ばれるものに巻き付けられて持ち運ばれる。この仕掛け巻きの構成を工夫することにより、仕掛けの糸が絡むのを防ぐことができる。例えば、非特許文献１には、図２(a)の側面図に示すように、２枚のフランジ２１の間にリール部２４及び掛止部材２２を設けた仕掛け巻きが開示されている。図２(b)は、掛止部材２２を図２(a)の矢印の方向から見た図である。このように掛止部材２２は、円板の外周に切れ込み２３を多数設けたものである。例えば、図１の数釣り用仕掛けをこの仕掛け巻きに巻き付ける際には、幹糸１１をリール部２４に時計回りに巻き付けていき、幹糸１１が枝糸１２の位置に差し掛かった時、反時計回り方向に枝糸１２を導き、適度に緊張させるような位置に存在する切れ込み２３に釣針１３を掛止する(図２(c))。これにより、仕掛け巻きを持ち運ぶ際に枝糸１２が動いて絡み合うことを防ぐことができる。
【０００５】
【非特許文献１】"仕掛け巻きの作り方"、2003年実用ガイド 投げ釣り、株式会社桃園書房、2002年11月25日発行、32〜34頁
【０００６】
ところが、このような構成の仕掛け巻きにおいては、仕掛けをリール部２４に巻き付ける時や仕掛けをリール部２４から取り外す時に、幹糸１１が掛止部材２２と接触し、掛止部材２２に掛止された釣針１３や枝糸１２に引っ掛かることがある。これは、上記幹糸１１の巻き付け又は取り外し作業の障害になると共に、幹糸１１が釣針１３により傷付けられたり、幹糸１１よりも細い枝糸１２が幹糸１１により傷付けられたりする原因にもなる。
【発明の開示】
【発明が解決しようとする課題】
【０００７】
本発明が解決しようとする課題は、仕掛けが絡むことなく巻き付け及び取り外しをスムーズに行うことができ、また、それらの際に仕掛けを傷付けることのない釣り用仕掛け巻きを提供することである。
【課題を解決するための手段】
【０００８】
上記課題を解決するために成された本発明に係る釣り用仕掛け巻きは、先端に釣針を有する枝糸を幹糸に取り付けた釣り用仕掛けを巻き付ける釣り用仕掛け巻きであって、
a)幹糸を巻き付ける筒状のリール部と、
b)前記リール部の一端に固定された、枝糸を通す枝糸通過部を複数有する仕切部材と、
c)前記仕切部材から前記リール部の反対側に、該仕切部材との間に隙間を空けて設けられた、釣針を掛止するための釣針掛止部を複数有する板状の掛止部材と、
を備えることを特徴とする。
【発明の実施の形態及び効果】
【０００９】
まず、本発明の釣り用仕掛け巻きの構成要素について説明する。リール部は幹糸を巻き付けるためのものであり、円筒や四角柱等の筒状の部材により構成される。掛止部材は釣針を掛止するためのものであり、その周囲には複数の釣針掛止部が設けられる。仕切部材はリール部と掛止部材の間に設けられ、リール部に巻き付けられた幹糸が掛止部材に近づくのを防ぐ役割を果たす。このような仕切部材としては、板状の部材の周囲に切れ込みを入れたものや、柱状の部材をリール部の周方向に所定間隔で配置したもの等を用いることができる。
【００１０】
このように、本発明の釣り用仕掛け巻きでは、リール部に巻き付けられた幹糸が仕切部材により掛止部材から離されるため、仕掛けを巻き付ける際及び仕掛けを取り外す際に、釣針や枝糸が幹糸に絡まることや、釣針に幹糸が接触して幹糸が傷付けられることを防ぐことができる。
【００１１】
掛止部材に釣針掛止部が複数個存在することにより、複数個の釣針を有する仕掛けの各釣針を掛止することができる。この釣針掛止部の個数や大きさは、使用する仕掛けに応じて適宜定める。また、枝糸の長さや釣針の大きさが仕掛け毎に異なる場合、あるいは、１つの仕掛け内においてそれらが異なる場合でも、釣針を適切な位置に掛止することができるように、多数の釣針掛止部を掛止部材の全周に亘って略均等に配置することが望ましい。
【００１２】
前記釣針掛止部としては、板状部材の外周に設けた切れ込みとするのが便利である。また、その切れ込みの方向は、外周から斜め中心方向とするのが望ましい。幹糸をリール部に巻く際、その方向とは逆の方向に巻いてゆき、釣針をその切れ込みに掛止することにより、釣針が掛止部材から外れにくくなる。
【００１３】
仕切部材には、枝糸を通過させるための枝糸通過部が複数設けられ、これにより、リール部に巻かれた幹糸と掛止部材に掛止された釣針とを接続する枝糸が障害なく仕切り部材を通過する。この仕切部材は、幹糸と釣針を確実に分離し、幹糸及び枝糸が釣針により傷つけられることを防止する。また、各枝糸を異なる枝糸通過部に通過させることにより、それらが相互に干渉することが防止され、枝糸同士の絡みや枝糸と幹糸の絡みが防止される。釣針掛止部の場合と同様に、枝糸が仕切部材を通過する位置は仕掛け毎、あるいは１つの仕掛け内の枝糸毎に異なるため、多数の枝糸通過部を均等に配置することが望ましい。
【００１４】
更に、掛止部材及び仕切部材を取り外し可能とすることにより、巻き付ける仕掛けに応じて掛止部材又は/及び仕切部材を適宜交換することができる。
【００１５】
仕切部材とは反対側のリール部端部には、通常、巻き付けられた幹糸がリール部から外れることを防止するためのフランジが設けられる。そのフランジに、巻き付けられた幹糸の終端を掛止する幹糸掛止部を設けることにより、巻き付けられた仕掛けが緩まないようにすることができる。この幹糸掛止部は、例えばフランジに切れ込みを設けることにより形成することができる。また、複数の仕掛けを巻き付けた時に仕掛け同士が絡まないように、１つの幹糸掛止部には１つの仕掛けの幹糸を掛止することが望ましく、そのためには巻き付ける仕掛けの本数よりも多くの幹糸掛止部を設けることが望ましい。
【実施例】
【００１６】
本発明に係る釣り用仕掛け巻きを実施例に基づき更に説明する。まず、図３(a)は本実施例の仕掛け巻き３０を幹糸の巻回軸方向に垂直な１方向からから見たものである。２枚のフランジ３１１及び３１２の間に、順にリール部３２、仕切部材３３、掛止部材３４を設ける。仕切部材３３と掛止部材３４の間、及び掛止部材３４とフランジ３１２の間には、隙間をつけるための隙間部材３５及び３６を設ける。
【００１７】
以下、上記各構成要素について説明する。その際、いくつかの構成要素について、図３(a)に記載の矢印の方向から見た図(図３(b)〜(d))を用いる。フランジ３１１及び３１２は円板状の部材から成る。また、フランジ３１１には、図３(b)に示すように、円板状部材の円周上に、該円板の中心方向に向かう切れ込み３７を複数設ける。この切れ込み３７は、幹糸の先端を掛止するためのものである。リール部３２、隙間部材３５及び３６は円筒状の部材から成る。本実施例では、これらフランジ３１１、リール部３２、及び隙間部材３５若しくは３６の材料は、エチレン酢酸ビニル樹脂(EVA)である。EVAはスポンジ状のものであり柔軟であるため、仕掛けを巻き付ける際や取り外す際に、幹糸や枝糸がこれらの部材と擦れても、該幹糸及び枝糸を傷付けることがない。また、この材料を用いることにより仕掛け巻きを軽量化することができるため、仕掛けの巻き付け、取り外しや持ち運びに好都合であるうえ、水中に落としても浮くので、釣りの現場でこの仕掛け巻きを失う可能性が小さいという利点もある。一方、フランジ３１２の材料は、この部分に幹糸や枝糸が引っ掛かる恐れが少ないことと、使用者が仕掛けの巻き付け及び取り外しを行う際にフランジ３１２を掴むため、本実施例ではEVAよりも硬質のポリプロピレン樹脂を用いる。
【００１８】
掛止部材３４は、図３(c)に示すように、円板の外周に切れ込み３８を多数設けたものである。この切れ込み３８が釣針掛止部となる。切れ込み３８の方向は、円板の外周から該円板の内側に向けて、中心３９の方向から円板の時計回りの方向にずれた方向(図中の一点鎖線４０の方向)である。ところで本実施例のこの切れ込み３８の方向は、仕掛けを時計回りに巻き付ける場合、すなわち使用者が右利きの場合のものである。左利き用の仕掛け巻きでは切れ込みの方向を上記と逆にする。
【００１９】
仕切部材３３は、図３(d)に示すように、円板状部材の外周部を鋸歯状に成形したものである。この鋸歯部４１は、リール部３２に巻き付けられる幹糸が掛止部材３４と接触するのを防ぐ。鋸歯部４１間の隙間４２は枝糸通過部となる。
【００２０】
本実施例では、各部材は接着剤により接着され、図３(a)のように組み立てられる。ここで、接着剤の代わりに、図４に示すようにねじ４３等で各部材を取り外し可能に固定してもよい。この場合、仕掛けの種類により、各部材を最適なものに交換することができる。例えば、掛止部材３４を切れ込み３８の数、幅、形状等の異なるものに、仕切部材３３を枝糸通過部の数、幅、形状等の異なるものに、あるいはリール部３２を幅の異なるものに、それぞれ交換することができる。
【００２１】
次に、本実施例の釣り用仕掛け巻きに仕掛けを巻き付ける方法を、図１の数釣り用仕掛けを用いる場合を例として説明する。まず、仕掛けの先端に取り付けられた釣針１３１を、掛止部材３４の切れ込み３８の１つに掛止する(図５(a))。その後、釣針１３１に接続された枝糸１２１を仕切部材３３の隙間４２に通し、幹糸１１をリール部３２に導く(図５(b))。そして、左手でフランジ３１２を掴み、右手で幹糸１１をリール部３２の円筒の表面に時計回りに巻き付ける(図５(c))。この時、枝糸１２１が幹糸１１の巻回方向に緊張するため、釣針１３１は切れ込み３８にくい込むことにより、固定される。すなわち、幹糸は時計回りに巻き付けられるため、切れ込み３８の方向を前記のように傾けることにより、釣針１３１は切れ込み３８の奥の方に引かれるため、切れ込み３８から外れ難くなるのである。次の枝糸１２２の接続点１４２まで幹糸１１をリール部３２に巻き付けると、枝糸１２２を仕切部材３３の隙間４２に通し、この枝糸１２２の先端にある釣針１３２を切れ込み３８のうちの１つに掛止する(図５(d))。以後、幹糸１１をリール部３２に巻き付けながら、全ての釣針及び枝糸について同様の処理を行う。幹糸１１を全て巻き終われば、その先端をフランジ３１１の切れ込み３７に掛止する(図５(e))。更に、２個め以降の仕掛けも同様に、この仕掛け巻きに巻き付けることができる。
【００２２】
このようにして、本実施例の釣り用仕掛け巻きでは、仕切部材３３の鋸歯部４１により、幹糸が掛止部材３４に接することなく幹糸をリール部３２に巻き付けることができる。これにより、掛止部材３４の切れ込み３８に掛けられた釣針が幹糸を傷付けたり、幹糸が枝糸を傷付けたりすることを防ぐことができる。
【００２３】
本実施例の釣り用仕掛け巻きから仕掛けを取り外す際には、幹糸１１の先端をフランジ３１１の切れ込み３７から外し、左手でフランジ３１２を掴んで右手で幹糸１１をリール部３２の円筒の表面に沿って反時計回りに巻回する。各釣針１３は、その釣針が取り付けられた枝糸と幹糸の接続点付近がリール部３２から離れると、自然に切れ込み３８から離れる。この時、仕切部材３３が存在することにより、幹糸１１と釣針１３とが接触することがないため、釣針１３及びそれを接続する枝糸１２と幹糸１１が絡まることはない。
【００２４】
仕掛けの釣り竿側の先端に、釣り竿側と接続するための金具が存在する場合がある。その場合には、仕掛け巻きに仕掛けを巻き付けた時、EVA製のフランジ３１１の切れ込み３７にこの金具を掛止すればよいが、切れ込み３７は金具によりその隙間が拡げられるため、傷みやすい。そこで、図６(a)及び(a)の矢印方向から見た図６(b)に示すように、フランジ３１１の外側に金具を掛止するための金具掛止部６１を設けるとよい。この実施例では、フランジ３１１の円板の中心付近を円形にくり抜き、その中に金具掛止部６１を放射状に配置する。金具掛止部６１の材料は、ポリプロピレン樹脂等、EVAよりも硬質のものがよい。仕掛け巻きの巻き付けの際に、切れ込み３７に幹糸の釣り竿側先端部付近を掛け、更に幹糸をフランジ３１１の外側に導き、前記金具を金具掛止部６１に掛止する。
【００２５】
なお、本発明の釣り用仕掛け巻きの実施形態は上記実施例の構成に限らず、適宜変更可能である。例えば、仕切部材の形状は上記の鋸歯状ではなく、図７(a)及び(a)の矢印方向から見た図７(b)に示すように、柱状部材７１をリール部と掛止部材の間に所定間隔で配置したものでもよい。また、上記実施例では、フランジやリール部等には、軽量化と仕掛けの保護のためにスポンジ状のEVAを用いたが、耐久性を重視する場合にはポリプロピレン等の他の材料を用いてもよい。
【図面の簡単な説明】
【００２６】
【図１】釣り用仕掛けの一例である、数釣り用仕掛けの図。
【図２】従来の釣り用仕掛け巻きの一例を示す図、及びこの釣り用仕掛け巻きの使用方法を示す図。
【図３】本発明に係る釣り用仕掛け巻きの一実施例を示す図。
【図４】本実施例の釣り用仕掛け巻きの組み立ての一例を示す図。
【図５】本実施例の釣り用仕掛け巻きの使用方法を示す図。
【図６】本実施例の釣り用仕掛け巻きに金具掛止部を設けた例を示す図。
【図７】仕切部材の他の例を示す図。
【符号の説明】
【００２７】
１１…幹糸
１２、１２１、１２２…枝糸
１３、１３１、１３２…釣針
１４１，１４２…接続点
２１、３１１、３１２…フランジ
２２、３４…掛止部材
２４、３２…リール部
３３…仕切部材
４１…鋸歯部
６１…金具掛止部
７１…柱状部材
【図１】
2005185118.tif 000003
【図２】
2005185118.tif 000004
【図３】
2005185118.tif 000005
【図４】
2005185118.tif 000006
【図５】
2005185118.tif 000007
【図６】
2005185118.tif 000008
【図７】
2005185118.tif 000009